【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
光学調節手段の移動を表す信号を生成する移動信号生成装置であって、
前記光学調節手段の位置に応じたアナログ信号を出力するアナログ信号出力手段と、
該アナログ信号に基づいて、前記光学調節手段の移動量および移動方向に応じた２つのデジタル信号を生成するデジタル信号生成手段とを有し、
前記２つのデジタル信号は、互いに位相差を有する２相の信号であり、該位相差の方向は前記移動方向に対応しているとともに、前記移動量に対応した数のパルス成分を有しており、
前記各デジタル信号は、前記光学調節手段の移動速度にかかわらず、前記光学調節手段を用いて取得される映像信号の同期周期の１／Ｎ倍（Ｎは自然数）の周期ごとに出力され、かつ前記パルス成分は一定のパルス幅を有することを特徴とする移動信号生成装置。
【請求項２】
光学調節手段の移動を表す信号を生成する移動信号生成装置であって、
前記光学調節手段の位置に応じたアナログ信号を出力するアナログ信号出力手段と、
該アナログ信号に基づいて、前記光学調節手段の移動量および移動方向に応じた２つのデジタル信号を生成するデジタル信号生成手段とを有し、
前記２つのデジタル信号は、前記光学調節手段の第１の移動方向に対応して該移動量に対応した数のパルス成分を含むよう生成される第１のデジタル信号と、前記光学調節手段の第２の移動方向に対応して該移動量に対応したパルス成分を含むよう生成される第２のデジタル信号であり、
前記各デジタル信号は、前記光学調節手段の移動速度にかかわらず、前記光学調節手段を用いて取得される映像信号の同期周期の１／Ｎ倍（Ｎは自然数）の周期ごとに出力され、かつ前記パルス成分は一定のパルス幅を有することを特徴とする移動信号生成装置。
【請求項３】
前記デジタル信号生成手段は、前記アナログ信号出力手段から入力された第１のアナログ信号と該第１のアナログ信号の後に入力された第２のアナログ信号との差に基づいて前記２つのデジタル信号を生成することを特徴とする請求項１又は２に記載の移動信号生成装置。
【請求項４】
前記アナログ信号出力手段は、位相差を持った２相のアナログ信号を出力し、
前記デジタル信号生成手段は、前記２相のアナログ信号に基づいて前記２つのデジタル信号を生成することを特徴とする請求項１又は２に記載の移動信号生成装置。
【請求項５】
前記デジタル信号が生成される周期および前記パルス成分のパルス幅のうち少なくとも一方を可変設定する設定手段を有することを特徴とする請求項１から４のいずれか１つに記載の移動信号生成装置。
【請求項６】
前記２つのデジタル信号は、前記光学調節手段を用いて取得された第１の映像信号と、該第１の映像信号とは別に取得された第２の映像信号との合成処理を行う映像合成装置に出力されることを特徴とする請求項１から４のいずれか１つに記載の移動信号生成装置。
【請求項７】
請求項１から６のいずれか１つに記載の移動信号生成装置と、
前記光学調節手段とを有することを特徴とする光学機器。
【請求項８】
請求項１から６のいずれか１つに記載の移動信号生成装置と、
前記光学調節手段を駆動する駆動手段とを有することを特徴とする光学機器制御装置。
【請求項９】
請求項１から６のいずれか１つに記載の移動信号生成装置と、
前記２つのデジタル信号に基づいて、前記光学調節手段を用いて取得された第１の映像信号と、該第１の映像信号とは別に取得された第２の映像信号との合成処理を行う映像合成装置とを有することを特徴とする映像生成システム。
【手続補正２】
【補正対象書類名】明細書
【補正対象項目名】０００９
【補正方法】変更
【補正の内容】
【０００９】
このような構成により、テレビレンズ１００が接続された不図示の指令装置（デマンド）からズーム駆動指令信号が入力されると、ＣＰＵ１０１は、該ズーム駆動指令信号とカウンタ１２０から取り込んだズーム現在位置とを用いて新たなズーム指令位置を演算し、その結果をＤＡコンバータ１０２に書き込むことで、ズーム位置制御が可能となる。
【手続補正３】
【補正対象書類名】明細書
【補正対象項目名】００２２
【補正方法】変更
【補正の内容】
【００２２】
上記の目的を達成するために、本発明の１つの観点は、光学調節手段の移動を表す信号を出力する移動信号出力装置であって、光学調節手段の位置に応じたアナログ信号を出力するアナログ信号出力手段と、該アナログ信号に基づいて、光学調節手段の移動量および移動方向に応じた２つのデジタル信号を生成し出力するデジタル信号生成手段とを有し、上記２つのデジタル信号は、互いに位相差を有する２相の信号であり、該位相差の方向は上記移動方向に対応しているとともに、上記移動量に対応した数のパルス成分を有しており、各デジタル信号は、光学調節手段の移動速度にかかわらず、光学調節手段を用いて取得される映像信号の同期周期の１／Ｎ倍（Ｎは自然数）の周期ごとに出力され、かつパルス成分は一定のパルス幅を有する。
【手続補正４】
【補正対象書類名】明細書
【補正対象項目名】００３６
【補正方法】変更
【補正の内容】
【００３６】
２０２は２相パルス列信号３００からズーム位置を算出するカウンタである。システムＣＰＵ２０１は、カウンタ２０２からのズーム位置（不図示のフォーカスカウンタからのフォーカス位置、アイリスカウンタからのアイリス位置、エクステンダカウンタからのエクステンダ位置）を取り込み、テレビレンズ１１０に接続された（すなわちズームレンズ１１０や不図示のフォーカスレンズ、アイリス、エクステンダ等の光学素子を通して）テレビカメラ１８０で撮影された映像信号ＴＶＩと、バーチャルシステム２００内で作成した（若しくはバーチャルシステム２００に取り込まれた）コンピュータグラフィックス画像ＣＧＩとを合成処理する。
【手続補正５】
【補正対象書類名】明細書
【補正対象項目名】００５５
【補正方法】変更
【補正の内容】
【００５５】
なお、ここではズーム位置に関する２相パルス列信号について示したが、フォーカス、アイリス、エクステンダ等の各種光学調節手段についても同様な２相パルス列信号が生成される。
【手続補正６】
【補正対象書類名】明細書
【補正対象項目名】００６０
【補正方法】変更
【補正の内容】
【００６０】
実施例１では、ドライブユニット１６０に搭載されるズーム位置検出器としてポテンショメータ１６６を用いていたが、本実施例では、ズーム位置検出器として、２相の正弦波信号（アナログ位置信号）を出力するアナログエンコーダ(A-ENC)１９１を用いている。
【手続補正７】
【補正対象書類名】明細書
【補正対象項目名】００６２
【補正方法】変更
【補正の内容】
【００６２】
図４において、アナログエンコーダ１９１から出力された２相アナログ信号は、アナログ信号値の整合を行う演算増幅器１６７を通り、ＡＤコンバータ１６８で２相のデジタル信号に変換され、ドライブユニットＣＰＵ１６１に取り込まれる。
【手続補正８】
【補正対象書類名】明細書
【補正対象項目名】００６３
【補正方法】変更
【補正の内容】
【００６３】
ドライブユニットＣＰＵ１６１のアナログ位置／デジタルパルス変換部１７０では、図２に示したアナログ位置／デジタルパルス変換プログラムにより、図４に示すドライブユニット１９０からバーチャルシステム２００へのインターフェース信号としての２相パルス列信号が生成される。
【手続補正９】
【補正対象書類名】明細書
【補正対象項目名】００７９
【補正方法】変更
【補正の内容】
【００７９】
以上説明した設定処理プログラムを実行した後に、図２に示したアナログ位置／デジタルパルス変換プログラムを実行することにより、ドライブユニット１６０から出力されたインターフェース信号としての２相パルス列信号のパルス幅(T_width) やパルス列送信周期(T_const) 等の任意設定が可能となり、バーチャルシステム２００の要求に合致した位置分解能や応答周波数の２相パルス列信号をバーチャルシステム２００に対して出力することができる。したがって、ドライブユニット１６０からの２相パルス列信号に対してバーチャルシステム２００が応答できない状況を回避することができる。
【手続補正１０】
【補正対象書類名】明細書
【補正対象項目名】００９４
【補正方法】変更
【補正の内容】
【００９４】
なお、ここではズーム位置に関する２相パルス列信号について示したが、フォーカス、アイリス、エクステンダ等の各種光学調節手段についても同様な２相パルス列信号が生成される。
【手続補正１１】
【補正対象書類名】図面
【補正対象項目名】図９
【補正方法】変更
【補正の内容】
【図９】
2005227471.tif 000001
【手続補正１２】
【補正対象書類名】図面
【補正対象項目名】図１１
【補正方法】変更
【補正の内容】
【図１１】
2005227471.tif 000002